(57)【要約】【課題】携帯通信端末が生きているように感じたり、親しみを感じたりといった感覚が得られるような携帯通信端末を提供する。【解決手段】透光性を有する筐体と、無線信号の変復調を行う通信回路部と、筐体の内壁近傍に配置された複数の温度センサと、筐体の内壁近傍に配置された複数の表示素子と、制御部とを備える携帯通信端末を提供する。そして、制御部では、複数の温度センサの検出結果に基づいて所定の表示素子を選択して点灯させる制御を行う。これにより、ユーザが携帯通信端末を握るといった日常的な動作に反応して携帯通信端末が光り、その光の表示パターンがユーザの携帯通信端末の持ち方によって変化する。【選択図】図４
2010016711.tif 000002
【特許請求の範囲】
【請求項１】
透光性を有する筐体と、
前記筐体の内部に設けられ、無線信号の変復調を行う通信回路部と、
前記筐体の内壁近傍に配置された複数の温度センサと、
前記筐体の内壁近傍に配置された複数の表示素子と、
前記筐体の内部に設けられ、前記通信回路部で無線信号を変復調する制御、及び、前記複数の温度センサの検出結果に基づいて所定の前記表示素子を選択して点灯させる制御を行う制御部と、
を備える携帯通信端末。
【請求項２】
前記制御部が、複数の前記表示素子を選択して点灯させる
請求項１に記載の携帯通信端末。
【請求項３】
前記複数の温度センサが、前記筐体の内部の前記携帯通信端末の長手方向に沿った側壁面の近傍に設けられている
請求項１に記載の携帯通信端末。
【請求項４】
前記温度センサが、ＩＣ温度センサである
請求項１に記載の携帯通信端末。
【請求項５】
上記表示素子が、発光ダイオードである
請求項１に記載の携帯通信端末。
【発明の詳細な説明】
【技術分野】
【０００１】
本発明は携帯通信端末に関し、より詳細には、端末を光らせる機能を備えた携帯通信端末に関する。
【背景技術】
【０００２】
従来、様々なセンサが開発され、その小型化も図られてきた。それに伴い、近年、携帯通信端末にも様々なセンサが搭載されている。例えば、温度センサを搭載した携帯通信端末が種々提案されている。これらの携帯通信端末は主に健康管理を目的としたものが多い（例えば、特許文献１参照）。
【０００３】
特許文献１には、温度センサ、脈波センサ及び静脈センサを搭載した携帯電話装置が提案されている。この携帯電話装置では、これらのセンサによりユーザの脈拍、血圧、体温を測定し、健康測定を行う。
【０００４】
また、従来、上述のようなセンサだけでなく、携帯通信端末の筐体を光らせるための光学素子が搭載された携帯通信端末も種々提案されている（例えば、特許文献２参照）。
【０００５】
特許文献２には、レーザ発光素子を搭載した携帯端末装置が提案されている。この携帯端末装置では、レーザ発光素子からの出射光の方向を制御することにより携帯端末装置の多方向を広範囲で光らせ、それによりイルミネーション効果を生じさせる。
【０００６】
【特許文献１】特開２００７−３２５８４２号公報
【特許文献２】特開２００５−５１３９７号公報
【発明の開示】
【発明が解決しようとする課題】
【０００７】
上述のように、従来、様々なセンサや光学素子が搭載された携帯通信端末が提案されているが、これらの端末は、例えば、ユーザが携帯通信端末を握るといった日常的な動作に対して何らかの反応を示すような携帯通信端末ではない。したがって、携帯通信端末が生きているように感じたり、携帯通信端末に親しみを感じたりといった情動的な感覚が得られ難い。
【０００８】
本発明は上記問題を解決するためになされたものであり、ユーザが携帯通信端末に対して上述のような情動的な感覚が得られるような携帯通信端末を提供することである。
【課題を解決するための手段】
【０００９】
上記課題を解決するために、本発明の携帯通信端末は、透光性を有する筐体と、筐体の内部に設けられ、無線信号の変復調を行う通信回路部とを備える構成とした。また、本発明は、筐体の内壁近傍に配置された複数の温度センサと、筐体の内壁近傍に配置された複数の表示素子と、制御部とを備える構成とした。そして、制御部では、通信回路部で無線信号を変復調する制御、及び、複数の温度センサの検出結果に基づいて所定の表示素子を選択して点灯させる制御を行うようにした。
【００１０】
本発明の携帯通信端末では、ユーザが携帯通信端末を持つ（把持する）と、温度センサはユーザが触れた位置を検知する。そして、制御部は、検知されたユーザの触れた位置の組み合わせに基づいて、点灯させる表示素子を選択する。したがって、本発明の携帯通信端末は、ユーザが携帯端末通信に触ると、それに反応して所定のパターンで光る。
【発明の効果】
【００１１】
本発明によれば、ユーザが携帯通信端末を握るといった日常的な動作に反応して携帯通信端末が光るので、携帯通信端末が生きているように感じたり、携帯通信端末に親しみを感じたりといった感覚をユーザに与えることができる。
【発明を実施するための最良の形態】
【００１２】
本発明の携帯通信端末の一実施形態の例を、図面を参照しながら以下に説明する。なお、本実施形態では、携帯通信端末として、無線電話用の基地局と無線通信を行う端末装置、いわゆる携帯電話端末と称される移動通信端末を用いた例を説明する。しかしながら、本発明は、以下の実施形態に限定されるものではない。
【００１３】
［装置構成］
図１は、本実施形態の移動通信端末の概略ブロック図である。移動通信端末１０は、図１に示すように、アンテナ１１と、制御部１２と、アンテナ１１と接続された通信回路１３と、表示部１４と、操作部１５と、記憶部１６とを備える。また、移動通信端末１０は、通話時の音声を出力するためのスピーカ１８と、通話時の音声を吸音するためのマイクロフォン１９と、通話時の音声データをデジタルアナログ変換する音声処理部２０とを備える。また、移動通信端末１０は、無線ＬＡＮ用通信回路２１と、無線ＬＡＮ用アンテナ２２とを備える。さらに、移動通信端末１０は、複数のＬＥＤ（Light Emitting Diode：発光ダイオード）２３と、複数のＩＣ温度センサ２４とを備える。なお、上記各部は、移動通信端末１０の後述する筐体の内部に収納されている。
【００１４】
また、移動通信端末１０は、図１に示すように、制御ライン２５及びデータライン２６を備える。制御ライン２５は、これに接続されている各部を制御する信号を流すための信号線である。移動通信端末１０内の各部は、図１に示すように、制御ライン２５を通じて制御部１２と接続しており、制御部１２の制御により各部での処理が行われる。また、データライン２６は、これに接続されている各部間でデータ転送を行うための信号線である。なお、図１には示していないが、移動通信端末１０は電源部を備えており、電源部から各部に電力が供給されている。
【００１５】
制御部１２は、例えばＣＰＵ（Central Processing Unit）等の演算制御装置からなり移動通信端末１０を構成する各部を制御する。また、制御部１２は、後述するように、ＩＣ温度センサ２４での検出結果と選択するＬＥＤ２３（すなわち、光の表示パターン）とを対応づけるプログラムを記憶部１６から読み出し、そのプログラムを介して光の表示パターンを制御する。
【００１６】
通信回路１３は、制御部１２の制御により、アンテナ１１を介して携帯電話基地局（不図示）との間で送信信号の送信及び受信信号の受信を行う。なお、通信回路１３では携帯電話基地局とやり取りする電波の変調及び復調も行う。また、無線ＬＡＮ用通信回路２１は、制御部１２の制御に基づいて所定の変調及び復調を行い、無線ＬＡＮ用アンテナ２２を介して外部のアクセスポイント装置（不図示）との間で無線信号の送信及び受信を行う。
【００１７】
表示部１４は、液晶ディスプレイ（ＬＣＤ：Liquid Crystal Display）などで構成される。また、操作部１５は、ジョグダイアルやキーパッドなどから構成される。操作部１５では、電話番号やメール文などの入力操作、各種モードの設定操作などの入力操作信号を入力することができる。
【００１８】
記憶部１６は、フラッシュメモリ（半導体メモリ）等の不揮発性メモリから構成される。記憶部１６には、電話帳やスケジュール、メールメッセージ、動画、静止画、音楽、アプリケーションソフトウェア、ブックマーク、ウェブページ等の様々なデータ及びコンピュータプログラムが格納される。また、本実施形態では、ＩＣ温度センサ２４での検出結果に基づいて、どのＬＥＤ２３を点灯させるかを決めるためのプログラム、すなわち、ＩＣ温度センサ２４での検出結果と光の表示パターンとを対応づけるプログラム（以下では、ＬＥＤ選択ソフトウェアともいう）が記憶部１６に格納されている。
【００１９】
ＬＥＤ２３（表示素子）は、電流を流すことにより光を発する半導体素子である。本実施形態では、後述するように、複数のＬＥＤ２３は、移動通信端末１０の筐体の内壁近傍に配置される。なお、本実施形態では、表示素子としてＬＥＤ２３を用いた例を説明したが、これ以外では、例えば、液晶ディスプレイや有機ＥＬ（Electro-Luminescence）ディスプレイ等を用いてもよい。また、移動通信端末１０に搭載可能である表示素子であれば、任意の表示素子を用いることができる。
【００２０】
ＩＣ温度センサ２４は、半導体の温度変化により抵抗値が変わる性質を利用したセンサである。本実施形態では、後述するように、複数のＩＣ温度センサは、移動通信端末１０の筐体の内壁近傍に配置される。なお、本実施形態のＩＣ温度センサ２４では、温度の具体的な値を測定するのではなく、ユーザが移動通信端末１０を触っているか否かを判定できればよいので、測定精度は低くてもよい。また、現状では、温度センサとしては、寸法等を考慮して、本実施形態のようにＩＣ温度センサを用いることが好ましい。しかしながら、本発明はこれに限定されず、移動通信端末１０に搭載可能であり、ユーザが移動通信端末１０を触っているか否かを判定できる程度の精度を有する温度センサであれば、任意の温度センサを用いることができる。
【００２１】
［表示素子及び温度センサの配置例］
図２は、本実施形態における複数のＬＥＤ２３と複数のＩＣ温度センサ２４の一配置例を示した図である。図２は、移動通信端末１０の外側筐体（不図示）を取り外した状態の移動通信端末１０のキー操作部（操作部１５）付近の内部構造を示している。
【００２２】
一般に、移動通信端末には、折りたたみ型、ストレート型（非折りたたみ型）及びスライド型があるが、いずれのタイプもキー操作部付近の構造は同様の構造になっている。それゆえ、ここでは、いずれのタイプにも共通した構造を有するキー操作部付近におけるＬＥＤ２３及びＩＣ温度センサ２４の配置について説明する。なお、本実施形態の移動通信端末１０では、キー操作部付近だけでなく、移動通信端末１０の筐体全体に渡って、その内壁近傍にＬＥＤ２３及びＩＣ温度センサ２４を配置している。
【００２３】
キー操作部付近の内部の構成は、図２に示すように、内側筐体１と、複数のキーパッド１（円印及び楕円印）と、キーフレキ３と、複数のＬＥＤ２３（斜線入りの四角印）と、複数のＩＣ温度センサ２４（白抜きの四角印）とから構成される。これらの各部は、制御部１２に接続されている。
【００２４】
内側筐体１及び外側筐体（不図示）は、ある程度の透光性を有する材料、例えばプラスチックやアクリル等で形成されている。なお、これらの筐体は、ＬＥＤ２３から発せられる光を有る程度透過する材料であれば任意の材料が用い得る。また、ユーザが移動通信端末１０を持ったことをＩＣ温度センサ２４で検出する必要があるので、筐体の厚さはできる限り薄くすることが好ましい。
【００２５】
キーフレキ３は、キーパッド２がユーザに押されたことを検知し、その検知結果を電気信号として制御部１２に出力する。
【００２６】
図２に示すように、本実施形態では、複数のＬＥＤ２３はキーパッド２の間に略等間隔で配置されている。また、複数のＩＣ温度センサ２４は、内側筐体１の長手方向（図２上では上下方向）の内壁近傍に略等間隔で配置されている。なお、図２では、１０個のＬＥＤ２３と６個のＩＣ温度センサ２４がキー操作部付近の領域に設けられている例を示しているが、ＬＥＤ２３及びＩＣ温度センサ２４の数は適宜変更可能である。
【００２７】
［表示素子の点灯処理］
次に、本実施形態の移動通信端末１０における複数のＬＥＤ２３の点灯処理の動作を図３を参照しながら説明する。図３は、ＬＥＤ２３の点灯処理の手順を示したフローチャートである。
【００２８】
まず、ユーザが移動通信端末１０の電源を入れる（ステップＳ１）。これにより、ＩＣ温度センサ２４が起動し、温度検知が可能な状態となる。
【００２９】
次いで、制御部１２は、記憶部１６に格納されたＬＥＤ選択ソフトウェアを読み出して起動する（ステップＳ２）。次いで、複数のＩＣ温度センサ２４で温度検知を行う（ステップＳ３）。この処理は、制御部１２により制御される。
【００３０】
この際、ユーザが触っている部分ではＩＣ温度センサ２４により温度変化が検出される（出力電圧が変化する）が、ユーザが触っていない部分では温度変化は検出されない。それゆえ、ユーザの移動通信端末１０の持ち方によっては、温度変化が検出される位置の組み合わせが変わる。すなわち、ユーザの移動通信端末１０の持ち方により、複数のＩＣ温度センサ２４から出力される電圧値の組み合わせ（検出結果）が異なる。
【００３１】
次に、制御部１２は、複数のＩＣ温度センサ２４で検出された検出結果を取得し、ＬＥＤ選択ソフトウェアを用いて、入力された複数の出力電圧の組み合わせに応じて点灯するＬＥＤ２３を選択する（ステップＳ４）。
【００３２】
次いで、制御部１２は、ＬＥＤ選択ソフトウェアで選択されたＬＥＤ２３に信号を出力し、そのＬＥＤ２３を点灯させる（ステップＳ５）。この際、選択するＬＥＤ２３の数等を変えて光表示パターンを変えるだけでなく、ＬＥＤ２３に入力する信号強度を変えてＬＥＤ２３の発光強度パターンを調整してもよい。この場合、移動通信端末１０をほのかに光らせたり、強く光らせたりすることができる。
【００３３】
なお、点灯するＬＥＤ２３の数や信号強度などの表示パターンは、ＬＥＤ選択ソフトウェアのプログラムをユーザが適宜変更することにより変更できる。この変更は、例えば、表示部１４でＬＥＤ選択ソフトウェアの設定メニューを読み出し、そのメニューに従って行うことができる。
【００３４】
上述のようにして、本実施形態では、ＩＣ温度センサ２４での検出結果に対応した光の表示パターンで移動通信端末１０を光らせる。
【００３５】
上述のように、本実施形態では、ユーザが移動通信端末１０に触ると、それに反応して移動通信端末１０が所定パターンで光る。この際、移動通信端末１０の持ち方を変えただけで、光の表示パターン及び／又は光の強度パターンを変化させることができる。その様子を図４に示した。移動通信端末１０の持ち方を変えることにより、例えば、図４中の領域４１〜４７のいずれかの領域が光ったり、全ての領域４１〜４７が光ったりする。また、移動通信端末１０の持ち方を変えることにより、領域４１〜４７の発光強度を変えたりすることもできる。
【００３６】
より具体的には、本実施形態では、例えば、メールを受信したユーザが鞄から移動通信端末１０を取り出した際に、移動通信端末１０をほんわかと光ったり、ユーザが電話をしている最中に、少し持ち位置をずらしただけで光の表示パターンが変わったりする。それゆえ、移動通信端末１０を使用するユーザの年齢層や習熟度に関係なく、ユーザが移動通信端末１０を握るといった日常的な動作に反応して移動通信端末１０が様々な光り方するので、移動通信端末１０が生きているように感じたり、移動通信端末１０に親しみを感じたりといった感覚が得られる。
【図面の簡単な説明】
【００３７】
【図１】本発明の一実施形態に係る移動通信端末の概略ブロック図である。
【図２】移動通信端末のキー操作部付近の内部構成を示した図である。
【図３】本発明の一実施形態に係る移動通信端末の表示素子の点灯処理の手順を示すフローチャートである。
【図４】本発明の一実施形態に係る移動通信端末の光る様子を示した図である。
【符号の説明】
【００３８】
１…筐体、２…キーパッド、３…キーフレキ、１０…移動通信端末、１１…アンテナ、１２…制御部、１３…通信回路、１４…表示部、１５…操作部、１６…記憶部、１８…スピーカ、１９…マイクロフォン、２０…音声処理部、２１…無線ＬＡＮ用通信回路、２２…無線ＬＡＮ用アンテナ、２３…ＬＥＤ、２４…ＩＣ温度センサ
【図１】
2010016711.tif 000003
【図２】
2010016711.tif 000004
【図３】
2010016711.tif 000005
【図４】
2010016711.tif 000006